(57)【要約】【課題】  振動発生時に電気を遮断することができ、しかも取り扱いが容易な遮断機能付コンセントを提供する。【解決手段】  既設のコンセント１００に差し込み自在な差込プラグ１１と、差込プラグ１１と通電可能に接続され、外部の電気機器を接続自在なプラグ受部１２と、上下方向に可動自在に配設され、差込プラグ１１とプラグ受部１２との通電接続をオン、オフするスイッチバー２と、スイッチバー２の上端部に、所定の振動が発生した場合に上端部から外れるように配設されたウエイト３と、を備える。ウエイト３がスイッチバー２の上端部に位置する場合には、スイッチバー２が下方に位置して通電接続がオン状態となり、ウエイト３がスイッチバー２の上端部から外れた場合に、スイッチバー２が上方に位置して通電接続をオフするように、スイッチバー２が配設されている。【選択図】  図１
2011199930.tif 000002
【特許請求の範囲】
【請求項１】
既設のコンセントに差し込み自在な差込プラグと、
前記差込プラグと通電可能に接続され、外部の電気機器を接続自在なプラグ受部と、
上下方向に可動自在に配設され、前記差込プラグとプラグ受部との通電接続をオン、オフするスイッチ部材と、
前記スイッチ部材の上端部に、所定の振動が発生した場合に前記上端部から外れるように配設された検知体と、を備え、
前記検知体が前記スイッチ部材の上端部に位置する場合には、前記スイッチ部材が下方に位置して前記通電接続がオン状態となり、前記検知体が前記スイッチ部材の上端部から外れた場合に、前記スイッチ部材が上方に位置して前記通電接続をオフするように、前記スイッチ部材が配設されている、
ことを特徴とする遮断機能付コンセント。
【請求項２】
前記スイッチ部材が下方に位置した状態で、前記スイッチ部材の上端部とで前記検知体を支持する支持部材を備える、
ことを特徴とする請求項１に記載の遮断機能付コンセント。
【請求項３】
外部から操作可能で、前記スイッチ部材の上端部から外れた前記検知体を、前記スイッチ部材の上端部に戻すリセット手段を備える、
ことを特徴とする請求項１または２のいずれか１項に記載の遮断機能付コンセント。
【請求項４】
前記スイッチ部材の下端部に、液体によって浮揚する浮揚体を備え、
前記浮揚体が液体に浸かった場合に、前記スイッチ部材を押し上げて前記検知体が前記スイッチ部材の上端部から外れるように、前記浮揚体の浮揚力が設定されている、
ことを特徴とする請求項１から３のいずれか１項に記載の遮断機能付コンセント。
【発明の詳細な説明】
【技術分野】
【０００１】
この発明は、既設のコンセントと電気機器とを電気的に接続するための、遮断機能付コンセントに関する。
【背景技術】
【０００２】
電気機器には、地震や洪水などによる自然災害で副次的に生じる火災や感電事故の危険が潜在しており、一般の家庭で使用される場合には、必ずしも需要者は電気の知識に詳しくないため、これらの危険性に留意できず、思わぬ事故につながるおそれがある。また、自然災害などは発生時期を予測することは困難であるため、対応をとることが困難である場合も多い。
【０００３】
そこで、センサで感知した地震情報を無線でコンセントに送信し、地震情報を受信したコンセンにおいて電気・通電を遮断するセンサユニットが知られている（例えば、特許文献１参照。）。また、壁のコンセント裏側に取り付けられ、地震によって球体が凸部を越えることで電気回路を遮断する感震遮断コンセントが知られている（例えば、特許文献２参照。）。
【先行技術文献】
【特許文献】
【０００４】
【特許文献１】実用新案登録第３１３９０７３号公報
【特許文献２】特開平１０−１７４２７４号公報
【発明の概要】
【発明が解決しようとする課題】
【０００５】
しかしながら、特許文献１に記載のセンサユニットでは、無線を用いるため構成が複雑で電源も要し、また、技術的、専門的な知識、経験を要するため、電気の知識に詳しくない需要者にとって、設置・設定、取り扱いが容易ではない。また、特許文献２に記載の感震遮断コンセントは、壁の裏側に設置するために、内装工事が必要で設置が容易でなく、しかも、内装工事を行えない個所には取り付けることができない。
【０００６】
そこでこの発明は、振動発生時に電気を遮断することができ、しかも取り扱いが容易な遮断機能付コンセントを提供することを目的としている。
【課題を解決するための手段】
【０００７】
前記の課題を解決するために、請求項１の発明は、既設のコンセントに差し込み自在な差込プラグと、前記差込プラグと通電可能に接続され、外部の電気機器を接続自在なプラグ受部と、上下方向に可動自在に配設され、前記差込プラグとプラグ受部との通電接続をオン、オフするスイッチ部材と、前記スイッチ部材の上端部に、所定の振動が発生した場合に前記上端部から外れるように配設された検知体と、を備え、前記検知体が前記スイッチ部材の上端部に位置する場合には、前記スイッチ部材が下方に位置して前記通電接続がオン状態となり、前記検知体が前記スイッチ部材の上端部から外れた場合に、前記スイッチ部材が上方に位置して前記通電接続をオフするように、前記スイッチ部材が配設されている、ことを特徴とする遮断機能付コンセントである。
【０００８】
この発明によれば、差込プラグを既設のコンセントに差し込み、プラグ受部に電気機器を接続し、検知体をスイッチ部材の上端部に位置させる。この状態では、スイッチ部材が下方に位置して、差込プラグとプラグ受部とが接続され、既設のコンセントと電気機器とが通電状態となる。一方、地震などによって所定の振動が発生すると、検知体がスイッチ部材の上端部から外れ、スイッチ部材が上方に位置して、差込プラグとプラグ受部との接続が解除される。これにより、既設のコンセントと電気機器との通電が遮断される。
【０００９】
請求項２の発明は、請求項１に記載の遮断機能付コンセントにおいて、前記スイッチ部材が下方に位置した状態で、前記スイッチ部材の上端部とで前記検知体を支持する支持部材を備える、ことを特徴とする。
【００１０】
この発明によれば、スイッチ部材が下方に位置した状態、つまり検知体がスイッチ部材の上端部に位置する状態では、スイッチ部材の上端部と支持部材とによって、検知体が支持される。一方、地震などによって所定の振動が発生すると、スイッチ部材が上方に位置するため、スイッチ部材の上端部と支持部材とによる支持構造が解除される。つまり、検知体がスイッチ部材の上端部に配設されにくい状態となる。
【００１１】
請求項３の発明は、請求項１または２に記載の遮断機能付コンセントにおいて、外部から操作可能で、前記スイッチ部材の上端部から外れた前記検知体を、前記スイッチ部材の上端部に戻すリセット手段を備える、ことを特徴とする。
【００１２】
この発明によれば、リセット手段を操作することで、検知体がスイッチ部材の上端部に戻り、これにより、スイッチ部材が下方に位置して、差込プラグとプラグ受部とが再接続され、既設のコンセントと電気機器との通電が復旧する。
【００１３】
請求項４の発明は、請求項１から３に記載の遮断機能付コンセントにおいて、前記スイッチ部材の下端部に、液体によって浮揚する浮揚体を備え、前記浮揚体が液体に浸かった場合に、前記スイッチ部材を押し上げて前記検知体が前記スイッチ部材の上端部から外れるように、前記浮揚体の浮揚力が設定されている、ことを特徴とする。
【００１４】
この発明によれば、浮揚体が雨水などの液体に浸かると、検知体がスイッチ部材の上端部から外れ、スイッチ部材が上方に位置して、差込プラグとプラグ受部との接続が解除され、既設のコンセントと電気機器との通電が遮断される。
【発明の効果】
【００１５】
請求項１に記載の発明によれば、地震などの振動が発生すると、差込プラグとプラグ受部との接続が解除され、既設のコンセントと電気機器との通電が遮断される。このように振動発生時に電気が遮断されるため、火災や感電などを防止することが可能となる。しかも、差込プラグを既設のコンセントに差し込み、プラグ受部に電気機器を接続するだけでよいため、電気の知識に詳しくない需要者であっても、容易に取り扱うことができる。また、電源・動力や無線などを要しないため、どこでもいつでも使用することができる。
【００１６】
請求項２に記載の発明によれば、地震などの振動が発生すると、検知体がスイッチ部材の上端部から外れ、検知体がスイッチ部材の上端部に配設されにくい状態となるため、振動が継続しても、検知体がスイッチ部材の上端部に戻されにくくなる。このため、振動によって検知体が戻ってしまい、差込プラグとプラグ受部とが再接続されて通電が復旧する、ということが防止・抑制される。
【００１７】
請求項３に記載の発明によれば、外部から操作可能なリセット手段を備えるため、人が振動を与えたことで通電を遮断させた場合などであっても、リセット手段を操作することで、容易に通電を復旧させることができる。
【００１８】
請求項４に記載の発明によれば、浮揚体が雨水などに浸かると、通電が遮断されるため、床上浸水などが生じた場合に、通電を確実に遮断して、火災や感電などを防止することが可能となる。
【図面の簡単な説明】
【００１９】
【図１】この発明の実施の形態に係る遮断機能付コンセントを示す側面断面図である。
【図２】図１の遮断機能付コンセントを示す正面図である。
【図３】図１のＡ−Ａ断面図である。
【図４】図１の遮断機能付コンセントの振動による遮断状態を示す断面図である。
【図５】図１の遮断機能付コンセントの検出リレーのオフ状態（ａ）とオン状態（ｂ）を示す図である。
【図６】図１の遮断機能付コンセントのリセット機構が差動した状態を示す断面図である。
【図７】図１の遮断機能付コンセントの取付手順を示す斜視図である。
【図８】図１の遮断機能付コンセントの浸水による遮断状態を示す断面図である。
【発明を実施するための形態】
【００２０】
以下、この発明を図示の実施の形態に基づいて説明する。
【００２１】
図１は、この発明の実施の形態に係る遮断機能付コンセント１の側面断面図であり、図２は、遮断機能付コンセント１の正面図である。この遮断機能付コンセント１は、既設のコンセントと外部の電気機器とを電気的に接続し、かつ振動や浸水が発生した場合に通電を遮断する機能を備えたコンセントであり、主として、差込プラグ１１と、プラグ受部１２と、スイッチバー（スイッチ部材）２と、ウエイト（検知体）３と、リセット機構（リセット手段）４と、フロート（浮揚体）５と、これらを収容するケーシング６とを備えている。
【００２２】
差込プラグ１１は、図３に示すように、導電性の一対の刃で、基端側がケーシング６内に配設され、自由端側がケーシング６の背面から突出するように配設されている。そして、壁や柱などに配設されている既設のコンセントのプラグ受部に、差し込みできるようになっている。
【００２３】
プラグ受部１２は、図３に示すように、ケーシング６の正面に設けられた一対の差込口１２ａと、ケーシング６内に配設された導電性の一対の接触端子１２ｂとから構成され、テレビや掃除機などの外部の電気機器の差込プラグを装着、接続できるようになっている。また、差込プラグ１１とプラグ受部１２とは対向して配設され、接続スイッチ１３を介して、差込プラグ１１とプラグ受部１２とが通電可能に接続されている。このような差込プラグ１１とプラグ受部１２とが、この実施の形態では、図１中上下方向に２対設けられている。
【００２４】
スイッチバー２は、棒状で上下方向・軸方向に可動・スライド自在に配設され、上端部に第１の台座部材２１が設けられている。そして、スイッチバー２が下死点（下方）に位置する状態で、ケーシング６内に配設された第２の台座部材（支持部材）６４と第１の台座部材２１とによって、ウエイト３を支持、載置する台座３１が形成されるようになっている。
【００２５】
スイッチバー２の中央部には、突出したスイッチ部２２が設けられ、このスイッチ部２２が検出リレー７をオン、オフすることで、接続スイッチ１３がオフ、オンされるようになっている。すなわち、スイッチバー２が下死点に位置する状態では、検出リレー７がオフで、接続スイッチ１３がオン状態、つまり差込プラグ１１とプラグ受部１２とが接続された状態となっている。この状態から、スイッチバー２が上死点（上方）までスライドすると、図４に示すように、スイッチ部２２が検出リレー７をオンし、接続スイッチ１３がオフ状態、つまり差込プラグ１１とプラグ受部１２との接続が解除された状態となる。
【００２６】
ここで、検出リレー７は、例えば図５に示すように、接点バー７１が上下のバネ７２によって揺動可能に配設され、検出リレー７の一端部に第１の接点７３が設けられ、この第１の接点７３を仮固定するラッチ７４が配設されている。また、第１の接点７３と対向して外部出力接点である第２の接点７５が配設され、検出リレー７がオフの状態では、同図（ａ）に示すように、第１の接点７３と第２の接点７５とが離れている。一方、接点バー７１の他端部が押し上げられて検出リレー７がオンすると、同図（ｂ）に示すように、第１の接点７３と第２の接点７５とが接続し、外部接点がオンして、接続スイッチ１３がオフ（回路切断）されるものである。
【００２７】
さらに、スイッチ部２２の下方には、スイッチバー２を上方に押圧（付勢）する圧縮コイルバネ２３が配設されている。そして、ウエイト３がスイッチバー２の第１の台座部材２１に位置する場合には、圧縮コイルバネ２３の力に抗してスイッチバー２が下死点に位置して、ウエイト３がスイッチバー２の第１の台座部材２１から外れた場合には、圧縮コイルバネ２３の力によってスイッチバー２が上死点に位置するようになっている。
【００２８】
また、ウエイト３が台座３１から外れた状態では、スイッチバー２の第１の台座部材２１が上死点に位置するため、第２の台座部材６４とによる台座３１の形成が解除された状態で、しかも、第１の台座部材２１がウエイト３の底部よりも高い位置に位置し、後述するリセット機構４を操作しない限り、ウエイト３がスイッチバー２の上端部に戻らないようになっている。
【００２９】
このように、ウエイト３がスイッチバー２の上端部に位置する場合には、スイッチバー２が下死点に位置して、差込プラグ１１とプラグ受部１２との通電接続がオン状態となる。また、ウエイト３がスイッチバー２の上端部から外れた場合に、スイッチバー２が上死点に位置して、差込プラグ１１とプラグ受部１２との通電接続がオフ状態となる。
【００３０】
ウエイト３は、球体で、スイッチバー２の上端側に形成された台座３１に配設され、圧縮コイルバネ２３の力に抗してスイッチバー２を押し下げる自重・重力を有している。また、所定の振動が発生した場合に台座３１から外れるように配設されている。すなわち、例えば震度４程度の地震が発生した場合に、ウエイト３が台座３１から転がり落ちるように、ウエイト３の形状、重さ、表面粗さ、および台座３１の形状、表面粗さが設定されている。
【００３１】
リセット機構４は、外部から操作可能で、台座３１から外れたウエイト３を台座３１に戻す機構であり、主として、ウエイト受け４１と、上下可動バー４２と、操作バー４３と、作動ブロック４４とを備えている。
【００３２】
ウエイト受け４１は、複数の部材から構成され、全体が環状で、環内に台座３１が位置し、外縁がケーシング６の内面に達するように形成され、台座３１を中心として外縁側が開いたり、閉じたりするように各部材が配設されている。上下可動バー４２は、ウエイト受け４１の各部材に連結して、図中上下方向に延びるように配設され、各上下可動バー４２は、連動するように接続されている。また、ひとつの上下可動バー４２が、操作バー４３まで延びている。
【００３３】
操作バー４３は、図中水平方向にスライド自在に配設され、一端部がケーシング６の正面に位置し、他端部がコイルスプリング２４に接するように位置されている。この操作バー４３の上に作動ブロック４４が配設されている。この作動ブロック４４は、側面が直角三角形で、その斜面に上下可動バー４２の下端部が接するように配設されている。
【００３４】
そして、通常時は、図４に示すように、上下可動バー４２の下端部が作動ブロック４４の下端部に位置し、ウエイト受け４１が開いた状態となっている。この状態で、コイルスプリング２４の力に抗して操作バー４３を押すと、図６に示すように、上下可動バー４２の下端部が作動ブロック４４の上端部に位置し、上下可動バー４２が上昇する。これによりウエイト受け４１が閉じ、ウエイト受け４１の外縁側に位置していたウエイト３が、台座３１側に導かれて、台座３１に配設されるようになっている。また、操作バー４３を離すと、コイルスプリング２４の力によって、操作バー４３、上下可動バー４２およびウエイト受け４１が元の位置に戻るものである。
【００３５】
フロート５は、水（液体）によって浮揚する浮揚体であり、スイッチバー２の下端部に配設されている。このフロート５は、球体で、所定量の水に浸かった場合に、スイッチバー２およびウエイト３を押し上げてウエイト３が台座３１から外れるように、その浮揚力・浮力、つまり体積・大きさが設定されている。
【００３６】
ケーシング６は、電気絶縁性を有し、図２示すように、上蓋部６１と主体部６２とから構成されている。また、上蓋部６１は透明で、ウエイト３の位置状態が外部から確認できるようになっている。主体部６２の下端には開放部６２ａが形成され、この開放部６２ａからフロート５側に向かって水が流入できるようになっている。さらに、フロート５の上方にはシールド６２ｂが設けられ、フロート５側に流入した水が上方に流れるのを防止するようになっている。また、主体部６２には、上下方向に２つの取付ボルト６３が装着され、後述するように、この取付ボルト６３を用いて既設のコンセント１００にケーシング６を取り付けられるようになっている。
【００３７】
次に、このような構成の遮断機能付コンセント１の設置方法および作用について説明する。
【００３８】
まず、図７に示すように、既設のコンセント１００のパネル１０１を取り外し、既設のコンセント１００の本体１０２に設けられたプラグ受部１０３に、遮断機能付コンセント１の差込プラグ１１を差し込む。ここで、既設のコンセント１００は、家屋の壁や柱などの垂直な部材に配設され、商用電源に接続されている。次に、本体１０２に設けられたネジ穴１０３ａに取付ボルト６３を締め付けることで、既設のコンセント１００に遮断機能付コンセント１を取り付ける。ここで、パネル１０１を外さずに、パネル１０１の上からプラグ受部１０３に遮断機能付コンセント１の差込プラグ１１を差し込むだけでもよい。
【００３９】
続いて、遮断機能付コンセント１のプラグ受部１２に、テレビや掃除機などの電気機器の電源ケーブルの差込プラグを装着し、操作バー４３を一旦押して離すと、上記のように、ウエイト３が台座３１に配設される。この状態では、図１に示すように、スイッチバー２が下死点に位置し、検出リレー７がオフで、接続スイッチ１３がオン状態となり、差込プラグ１１とプラグ受部１２とが接続された状態となっている。つまり、差込プラグ１１とプラグ受部１２とを介して、既設のコンセント１００と電気機器とが通電状態となる。
【００４０】
このような状態で、地震や幼児の接触・いたずらなどによって、遮断機能付コンセント１に所定の振動が与えられると、図４に示すように、ウエイト３が台座３１から外れる。これにより、上記のように、圧縮コイルバネ２３の力によってスイッチバー２が上死点にスライドし、検出リレー７がオンして接続スイッチ１３がオフ状態となる。つまり、差込プラグ１１とプラグ受部１２との接続が解除され、既設のコンセント１００と電気機器との通電が遮断される。
【００４１】
同様に、図８に示すように、フロート５が排水設備の排水や雨水などで所定の位置まで浸水すると、上記のようにしてスイッチバー２およびウエイト３が押し上げられ、ウエイト３が台座３１から外れる。これにより、差込プラグ１１とプラグ受部１２との接続が解除され、既設のコンセント１００と電気機器との通電が遮断される。
【００４２】
その後、安全を確認した後に、操作バー４３を一旦押して離すと、上記のように、ウエイト３が台座３１に戻され、これにより、スイッチバー２が下死点に位置し、検出リレー７がオフされ、接続スイッチ１３がオン状態となる。そして、差込プラグ１１とプラグ受部１２とが再接続され、既設のコンセント１００と電気機器との通電状態が復旧するものである。
【００４３】
以上のように、この遮断機能付コンセント１によれば、振動や浸水が発生した場合には、既設のコンセント１００と電気機器との通電が遮断されるため、火災や感電などを確実に防止することが可能となる。しかも、一旦通電が遮断されると、リセット機構４を操作しない限り、ウエイト３がスイッチバー２の上端部に戻らない、つまり通電が復旧しないため、不用意に通電が復旧してしまう、ということが防止・抑制される。
【００４４】
また、スイッチバー２で接続スイッチ１３をオン、オフすることで、差込プラグ１１とプラグ受部１２とを接離するため、一旦接続スイッチ１３がオンされれば、差込プラグ１１とプラグ受部１２との通電状態は、安定している。つまり、従来のように、球体の自重によって接続状態を維持するものではないため、振動によってウエイト３が台座３１上で揺れたとしても、通電状態に影響を与えることはなく、安定した通電状態が得られる。
【００４５】
さらに、ケーシング６の上蓋部６１が透明であるため、ウエイト３の位置状態を外部から確認することができる。このため、電気機器が動作しない場合に、上蓋部６１をのぞいて、ウエイト３が台座３１から外れていれば、この遮断機能付コンセント１による通電遮断であると判断でき、ウエイト３が台座３１に配設されていれば、商用電源の停電や電気機器自体の故障などであると、判断することができる。
【００４６】
また、既設のコンセント１００のプラグ受部１０３に遮断機能付コンセント１の差込プラグ１１を差し込むだけでよいため、電気の知識に詳しくない需要者であっても、容易に取り扱うことができる。しかも、電源・動力や無線などを要しないため、どこでもいつでも使用することができる。また、操作バー４３を押すだけで、容易に通電が復旧するため、取り扱いが極めて容易、安全である。
【００４７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、検出リレー７を介して接続スイッチ１３をオン・オフしているが、スイッチ部２２によって接続スイッチ１３を直接オン・オフするようにしてもよい。
【符号の説明】
【００４８】
１        遮断機能付コンセント
１１      差込プラグ
１２      プラグ受部
１３      接続スイッチ
２        スイッチバー（スイッチ部材）
２１      第１の台座部材
３        ウエイト（検知体）
３１      台座
４        リセット機構（リセット手段）
５        フロート（浮揚体）
６        ケーシング
６４      第２の台座部材（支持部材）
７        検出リレー
１００    既設のコンセント
【図１】
2011199930.tif 000003
【図２】
2011199930.tif 000004
【図３】
2011199930.tif 000005
【図４】
2011199930.tif 000006
【図５】
2011199930.tif 000007
【図６】
2011199930.tif 000008
【図７】
2011199930.tif 000009
【図８】
2011199930.tif 000010